Podtech/llm-jp-corpus-v4-ja_patent huggingface dataset:
(57)【要約】【課題】特徴のないビニール傘の所有を明示するため、ビニール傘に装着する識別具を提供する。【解決手段】概ね白色のビニール傘の手元（持ち手）部分に、色彩やデザインされた識別具を装着することにより自分のビニール傘を容易に判断することができる。またこの識別具を構成する可動部によって傘を束ねることにより玉留の機能を付加することができる。さらに付属のクリップによってナイロン（ビニール）袋の脱落を防止することができる。【選択図】図１
2009297481.tif 000002
【特許請求の範囲】
【請求項１】
ビニール傘等特に特徴を持たない傘に自己の所有を認識することができるとともに、他者に所有を周知させるために取り付けることのできる識別具。
【請求項２】
ビニール傘等簡易な傘をたたんだ際、傘の骨が広がらないよう簡単に止めることができる玉留機能を有することを特徴とする請求項１記載の識別具。
【請求項３】
デパートやスーパーマーケット等の店舗に備えられる傘用のナイロン袋の脱落を防止する機能を有することを特徴とする請求項１記載の識別具。
【発明の詳細な説明】
【技術分野】
【０００１】本発明は、特徴をもたないビニール傘の所有を明示するため、ビニール傘に装着する識別具である。
【背景技術】
【０００２】ビニール傘は安価で販売されており、「使い捨て傘」の別称で呼称されるように、突然の降雨に気易く間に合わせで購入するイメージが強かった。しかし特徴の無い透明な傘は服装の色や形に拘束されず、ファッション性を高く評価され愛用する人も少なくない。また透明な傘は使用時に前方に傾けても視界を妨げることが少なく、安全面で高い評価を得ている。
ビニール傘の普及は目を見張るものがあり、雨の日の傘立の半数はビニール傘と言っても過言ではない。しかし前述の「使い捨て」のイメージが強いため、傘立で自分のビニール傘がどれであったか判断がつかず、あやふやな記憶のままに他人のビニール傘を持ち去るケースも生じる。また急な雨に困り故意に他人のビニール傘を持ち去る輩も後を絶たないが、ビニール傘の特徴の無さが犯罪意識を薄れさせていると考えられる。
【発明の開示】
【発明が解決しようとする課題】
【０００３】特徴のないビニール傘は自分の所有物と他人の所有物を容易に判断することが難しく、誤って他人に持ち去られてしまう。また安価な使い捨て傘のイメージが強く、犯罪意識を薄れさせ故意に持ち去られてしまう。所有者も紛失時に安易に断念する傾向があり、世の風潮としてこれらを助長させている。エコロジーの観点からも好ましからぬ傾向である。
ビニール傘には概ね不使用時束ねておくためのバンドが付属しているが、使用後ビニール傘をたたみバンドで束ねる際ビニール部を手のひらで掴み、一回転させるためてのひらがびしょびしょに濡れてしまう。
デパートやスーパーマーケット等の店舗で備えられるナイロン（ビニール）製の袋は雨に濡れた傘を収納した場合服や手荷物を濡らすことが無く、たいへん重宝だが、気付くと脱落してしまっている。雨の日の店舖ではこの脱落したナイロン（ビニール）袋が散乱し、見苦しいばかりで無くこれに足を滑らせ危険である。
本発明はこれらの課題を解消するためになされたものである。
【課題を解決するための手段】
【０００４】概ね白色のビニール傘の手元（持ち手）部分に、色彩やデザインされた識別具（１）を装着することにより自分のビニール傘を容易に判断することができる。
またこの識別具を構成する可動部（２）によって傘を束ねることにより玉留の機能を付加することができる。
さらに付属のクリップ（３）によってナイロン（ビニール）袋の脱落を防止することができる。
【発明の効果】
【０００５】（イ）本発明を利用した場合、自分の傘を容易に特定することができる。
（ロ）本発明を利用した場合、他者に自分の所有する傘であることを明示することができ、持ち去ろうとする気持ちを抑制することができる。
（ハ）請求項２に記載された玉留機能を利用することによって、手を濡らすことを最少にとどめ傘の骨をまとめることができる。
（ニ）請求項３に記載された機能を利用することによって、デパートやスーパーマーケット等の店舗で備えられるナイロン（ビニール）袋の脱落を防止できる。
【発明を実施するための最良の形態】
【０００６】以下本発明の実施の形態を説明する。
本発明のビニール傘識別具の実施形態は全体が合成樹脂で構成され、装着しようとするビニール傘に結束する機能を持つ把持部材（５）とこれを締め付ける機能を持つキャップ部材（１）、さらに把持部材をスライドする玉留部材（２）の連携によって機能する。さらにキャップ部材（１）にナイロン製の細紐（６）で繋がれたクリップが付加され、本発明の全体の構成となる。識別具としての機能は全体の色彩やデザインによって識別されるため白色以外の彩色が望ましい。
本発明の組み立て説明図の説明［図３］
▲１▼ビニール傘に装着する際はまず玉留部材（２）に手元（４）の先端を通す。
▲２▼次に把持部材（５）を図３のように拡げ手元（４）の傘の芯材が結合する端部に合わせ閉じ、玉留部材（２）を引き上げてかぶせる。
▲３▼最後にキャップ部材（１）に手元端部を通し、把持部材（５）にねじ込む。
【図面の簡単な説明】
【０００７】
【図１】本発明のビニール傘識別具を装着した図
【図２】本発明の構成部品の斜視図
【図３】本発明の組み立て説明図
【図４】本発明の断面図
【符号の説明】
【０００８】１    識別具（キャップ部材）
２    可動式の玉留機能を有する部品
３    クリップ
４    手元（持ち手）
５    把持部材
６    細紐
７    ナイロン（ビニール）袋
８    手元（グリップ）の太さに応じて変形するストッパー
９    玉留部材のスライドを導くガイド凸部
１０  玉留部材のスライドを導くガイド凹部
【図１】
2009297481.tif 000003
【図２】
2009297481.tif 000004
【図３】
2009297481.tif 000005
【図４】
2009297481.tif 000006
(57)【要約】【課題】  ウールやシルク製品などの痛み易く洗濯機で洗い難い生地の衣類を、洗濯機で手洗い仕上げのように洗濯出来る、手洗い仕上げの洗濯ネットを提供する。【解決手段】  ネットで覆ったスポンジを洗濯ネットの内側に設けたことを特徴とする手洗い仕上げの洗濯ネット。【選択図】図１
2009297483.tif 000002
【特許請求の範囲】
【請求項１】
ネットで覆ったスポンジを洗濯ネットの内側に設けたことを特徴とする手洗い仕上げの洗濯ネット。
【発明の詳細な説明】
【技術分野】
【０００１】  本発明は、ウールやシルク製品などの痛み易い生地の衣類を洗濯機で手洗い仕上げのように洗濯出来る、手洗い仕上げの洗濯ネットに関するものである。
【背景技術】
【０００２】  従来は、ウールやシルク製品などの痛み易い生地の衣類は、手洗いで洗濯をしていた。
【発明の開示】
【発明が解決しようとする課題】
【０００３】  そのために次のような問題点があった。
手洗いで衣類を洗濯する際には洗濯するスペースを取ったり、何度もゆすぎの為の水を変えたり、また脱水の際などは手で衣類の水を絞る事の出来ない痛み易い生地だとタオルで生地を挟んで水分を吸収させたりと、手間や面倒がかかり一度に何着も手洗いするのは大変面倒な作業だった。
本発明は、以上の問題点を解決するためになされたものである。
【課題を解決するための手段】
【０００４】  ネットで覆ったスポンジを洗濯ネットの内側に設けたもので使用する際、スポンジを設けた洗濯ネットの中に洗濯物を入れて洗濯機で洗う。
以上を特徴とする手洗い仕上げの洗濯ネットである。
【発明の効果】
【０００５】  洗濯機で洗っても洗濯層の中で洗濯物が回転したり、脱水の際に絞られてもスポンジが衣類を強い衝撃から守りながら洗えるので、衣類が傷み難くく手洗いで洗った様な仕上がりになり、手洗いでの洗濯の様な面倒な手間が掛からずに簡単に１度に何着も洗える。
【発明を実施するための最良の形態】
【０００６】  以下、本発明の実施の形態について説明する。
（イ）洗濯ネット（１）の内側の４隅に輪（２）を設ける。
（ロ）水はけの良い目の荒いスポンジ（３）を小さいサイズにカットし、複数個を隙間を設け、ネット（４）で覆い、ネット（４）の４隅にヒモ（５）を設ける。
これを、表面と裏面用に２つ設ける。
本発明は以上のような構造で、これを使用するときは洗濯ネット（１）の内側に設けた輪（２）部分に、スポンジ（３）を覆ったネット（４）に設けたヒモ（５）を取り付け、洗濯ネット（１）の内側の両面にスポンジ（３）を取り付けて固定し、洗濯ネット（１）に衣類（６）を入れ、通常通り洗濯機（７）で洗う。
洗濯機（７）での回転や脱水の際にかかる衣類（６）への強い衝撃が洗濯ネット（１）に取り付けたスポンジ（３）によって取り除かれ、衣類（６）を傷めずに手洗いの様な仕上げで衣類に負担なく洗濯が出来る。
洗濯機（７）の機械の種類によって、柔らか仕上げや手洗いコースなどがある場合はそちらを選択して洗うと、より衣類（６）への衝撃が少なく洗濯できる。
洗濯機（７）を使う事により、１度に何着かまとめて手洗い仕上げのように洗濯する事が出来、手洗いでは面倒だった脱水の作業も衣類（６）への負担もなく簡単に何着も同時に行える。【０００７】  以下、本発明の実施の形態について説明する。
（イ）洗濯ネット（１）の表側の４隅にヒモ（５）を設け、チャック（８）を中央に設ける。
（ロ）水はけの良い目の荒いスポンジ（３）をネット（４）で覆い、洗濯ネット（１）の内側の片面に取り付ける。
本発明は以上のような構造で、これを使用するときは洗濯ネット（１）に衣類（６）を入れ、スポンジ（３）部分が上面に来るように、２つ折り（９）に折りたたみ、洗濯ネット（１）の４隅に設けたヒモ（５）を結び固定した状態で、洗濯機（７）に入れ、洗濯をする。
洗濯機（７）での回転や脱水の際にかかる衣類（６）への強い衝撃が洗濯ネット（１）に取り付けたスポンジ（３）によって取り除かれ、衣類（６）を傷めずに手洗いの様な仕上げで衣類に負担なく洗濯が出来る。
洗濯機（７）の機械の種類によって、柔らか仕上げや手洗いコースなどがある場合はそちらを選択して洗うと、より衣類（６）への衝撃が少なく洗濯できる。
洗濯機（７）を使う事により、１度に何着かまとめて手洗い仕上げのように洗濯する事が出来、手洗いでは面倒だった脱水の作業も衣類（６）への負担もなく簡単に何着も同時に行える。
【図面の簡単な説明】
【０００８】
【図１】本発明の斜視図
【図２】本発明の分解斜視図
【図３】本発明の使用状態を示す斜視図
【図４】本発明の２つ折りにする洗濯ネットの斜視図
【図５】本発明の２つ折りにする洗濯ネットの使用状態を示す斜視図
【符号の説明】
【０００９】１  洗濯ネット
２  輪
３  スポンジ
４  ネット
５  ヒモ
６  衣類
７  洗濯機
８  チャック
９  ２つ折り
【図１】
2009297483.tif 000003
【図２】
2009297483.tif 000004
【図３】
2009297483.tif 000005
【図４】
2009297483.tif 000006
【図５】
2009297483.tif 000007
(57)【要約】【課題】  突起の圧力で音楽と芳香と温熱のスイッチが入るように工夫した指圧器を提供する。【解決手段】  突起の下部にクッションを設け、体重の圧力でスイッチが入るように工夫して、電子音源のスイッチが入り、又このスイッチでヒーターが入り、温熱で受皿の芳香剤が香るように工夫した。そして突起自体もヒーターで温かくなることを特徴とした指圧器。【選択図】図１
2009297489.tif 000002
【特許請求の範囲】
【請求項１】
突起の下部にクッションを設け、体重が突起にかかることにより、スイッチが入り、電子音源が音楽をかなで、そのスイッチが同時に、ヒーターも入り、受皿に入っている芳香剤が香るようにし、又同時に、突起自体も温かくなることを特微とした指圧器。
【発明の詳細な説明】
【技術分野】
【０００１】  本発明は、突起が温熱を持ち、音楽が鳴り、芳香も出る指圧器に関するものである。
【背景技術】
【０００２】  従来、突起のある指圧器はあった。又、温熱を持つ指圧器はあった。
【発明の開示】
【発明が解決しようとする課題】
【０００３】  そのために次のような問題点があった。
（イ）突起のある指圧器は、痛みが出たり、辛かったり、リラックス効果という点については薄かった。
（ロ）指圧効果を上げるためには、一層心身をリラックスさせる必要があった。
【課題を解決するための手段】
【０００４】突起を体重で指圧した時に、スイッチが入るようにし、電子音源で音楽が鳴るように考案した。又このスイッチでヒーターが作動し、受皿に入っている芳香剤が温められ香りが出るようにした。ヒーターで突起自体も温熱を持つようにした。いくつかの種類の突起を設け、所望に応じて選択して突起を付け替えられるように考えた。又突起と突起の巾を自在に加減できるように考えた。
【発明の効果】
【０００５】突起を体重で指圧すると音楽やオルゴール曲が流れることにより、リラックス効果が生まれた。又芳香治療で過緊張で体が固くなっていたところ、芳香治療のリラックス効果で副交感神経優位となり、血管が広がり血流が良くなり、血液循環が良くなった。又血流が増し、痛み物質も流し去り、より効果を上げる。鼻から入った芳香成分は、嗅神経細胞を刺激し、脳の視床下部に伝達され体の神経バランスに作用する効果がある。
突起の温熱効果で、より治療に良い結果となり、突起を各種備え所望したものを選択し、使用することにより、ポイントに当たり、治療効果を一層上げる効果がある。
又、棒状の部材はネジで止められているため、加減することにより、突起の巾を調節でき、一層コリのポイントに当たる効果がある。
【発明を実施するための最良の形態】
【０００６】以下、本発明の実施の形態について説明する。
（イ）２本の棒状の部材をネジで止めて組み合わせ、自在に動かして止められるようにする。
（ロ）この棒状の部材の先端に、突起を差し込む受け皿を設ける。
（ハ）突起の下部にクッションを設ける。
（ニ）この突起を体重で指圧した時に、作動するスイッチを設け、このスイッチで電子音源が入り音楽がかなでるように考案した。
（ホ）また、このスイッチで、ヒーターが入り、受皿の中に芳香剤を入れるようにして、この熱で芳香剤が香るようにした。
（ヘ）このヒーターの熱が突起自体も温かくなるようにした。
（ト）突起は色々な形のものを考え、体のコリや痛みのポイントに合うようにした。
（チ）二本の棒状の部材の巾を加減することにより、体のコリのポイント等、所望に適切に合うように考えた。
【図面の簡単な説明】
【０００７】
【図１】本発明の考案した一部の斜視図である。
【図２】本発明の考案した一部の斜視図である。
【図３】本発明の斜視図
【図４】本発明の実際の使用例を示す側面図
【図５】本発明の一部の側面図
【符号の説明】
【０００８】１  スイッチ
２  クッション
３  電子音源
４  ヒーター
５  棒状の部材
６  突起
７  受皿
８  ネジ止め
【図１】
2009297489.tif 000003
【図２】
2009297489.tif 000004
【図３】
2009297489.tif 000005
【図４】
2009297489.tif 000006
【図５】
2009297489.tif 000007
(57)【要約】【課題】  サイドリリースバックルが、予期せぬ弾みで簡単に外れてしまわないようにすることが本発明の課題である。【解決手段】  受け具１と差し込み具２からなるサイドリリースバックルＢであって、前記差し込み具２は、左右一対のサイドフック３と、両フックの中間部のセンターフック４とを有し、前記受け具１は、これに差し込み具２を差し込んだとき、前記左右一対のサイドフック３を掛止する左右一対のサイドフック掛け止め部６と前記センターフックを掛止するセンターフック掛け止め部８とを有し、前記各フックの各掛け止め部への掛け止めの解除は、各フックを受け具１の内側へ向けて押圧することによってなされる構成とした。【選択図】図１
2009297482.tif 000002
【特許請求の範囲】
【請求項１】
受け具と差し込み具からなるサイドリリースバックルであって、前記差し込み具は、左右一対のサイドフックと、両フックの中間部のセンターフックとを有し、前記受け具は、これに差し込み具を差し込んだとき、前記左右一対のサイドフックを掛止する左右一対のサイドフック掛け止め部と前記センターフックを掛止するセンターフック掛け止め部とを有し、前記各フックの各掛け止め部への掛け止めの解除は、各フックを受け具の内側へ向けて押圧することによってなされる構成としたことを特徴とするサイドリリースバックル。
【発明の詳細な説明】
【発明の詳細な説明】
【技術分野】
【０００１】  本発明は、脱落防止機能を有するセンターフックを設けたサイドリリースバックルに関するものである。
【背景技術】
【０００２】  従来より、サイドリリースバックルは、受け具から差し込み具を外す場合、差し込み具の左右一対のサイドフックを押圧するだけで、簡単に解除することができる。
【発明の開示】
【発明が解決しようとする課題】
【０００３】  従来このサイドリリースバックルは、容易に着脱することができる。しかし反面、予期せぬ弾みで外れてしまうことがある。使用目的などにより、安全性を求められる状況において、簡単に外れてしまわないようにすることが本発明の課題である。
【課題を解決するための手段】
【０００４】  本発明は、上記の課題を解決するためになされたもので、受け具と差し込み具からなるサイドリリースバックルであって、前記差し込み具は、左右一対のサイドフックと、両フックの中間部のセンターフックとを有し、前記受け具は、これに差し込み具を差し込んだとき、前記左右一対のサイドフックを掛止する左右一対のサイドフック掛け止め部と、前記センターフックを掛止するセンターフック掛け止め部とを有し、前記各フックの各掛け止め部への掛け止めの解除は、各フックを受け具の内側へ向けて押圧することによってなされるようにしたものである。
【発明の効果】
【０００５】  サイドリリースバックルの表面板の中央部分にセンターフックを設けることで、左右一対のサイドフックとセンターフックとの三箇所を同時に押圧しなければ解除できない構造にしたので、予期せぬ弾みで左右一対のサイドフックを誤って押圧してしまい、受け具から差し込み具が外れてしまうような事態を防ぐことができる。リュックや救命胴衣などのベルトの接合に用いたとき、その一層の安全性が高めることができる。
【発明を実施するための最良の形態】
【実施例】
【０００６】実施例のサイドリリースバックルＢは、受け具１と差し込み具２よりなり、差し込み具２は、左右一対のサイドフック３と両フックの中間部にセンターフック４を有し、受け具１は、これに差し込み具２を差し込んだとき、差し込み具２の左右一対のサイドフック３とセンターフック４が、受け具１の左右一対の側面板５に設けた左右一対のサイドフック掛け止め部６と表面板７に設けたセンターフック掛け止め部８に、差し込み具２の各フックが掛止されることで、受け具１と差し込み具２が接合する。【０００７】また、各フックを各掛け止め部から解除するには、差し込み具２の左右一対のサイドフック３とセンターフック４とを受け具１の内側へ向けて同時に押圧することで、各フックを各掛け止め部から解除することができる。そのことによって、受け具１から差し込み具２を外すことができる。
【図面の簡単な説明】
【０００８】
【図１】実施例のサイドリリースバックルの受け具と差し込み具の接合状態を示す斜面図である。
【図２】サイドリリースバックルの受け具の斜面図である。
【図３】サイドリリースバックルの差し込み具の斜面図である。
【図４】サイドリリースバックルの受け具の挿入口側から見た斜面図である。
【符号の説明】
【０００９】Ｂ    サイドリリースバックル
１    受け具
２    差し込み具
３    左右一対のサイドフック
４    センターフック
５    左右一対の側面板
６    左右一対のサイドフック掛け止め部
７    表面板
８    センターフック掛け止め部
９    受け具挿入口
【図１】
2009297482.tif 000003
【図２】
2009297482.tif 000004
【図３】
2009297482.tif 000005
【図４】
2009297482.tif 000006
(57)【要約】【課題】  濡れた折りたたみ傘をスムーズに収納し、濡れた中袋を簡単に取り出して干せるようにし、なおかつ両面使えるようにしたシンプルなデザインで作ったリバーシブル折りたたみ傘入れを提供する。【解決手段】  袋本体（１）は表袋（１ａ）と、裏袋（１ｂ）で構成し、袋本体（１）の上部にひもの通り道（２）を設け、通り道（２）に２本のひも（３）と飾り玉（５）を設け、袋本体（１）の上部に取手（４）を設けたことを特徴とするリバーシブル折りたたみ傘入れ。【選択図】図１
2009297485.tif 000002
【特許請求の範囲】
【請求項１】
袋本体（１）は表袋（１ａ）と、裏袋（１ｂ）で構成し、袋本体（１）の上部にひもの通り道（２）を設け、通り道（２）に２本のひも（３）と飾り玉（５）を設け、袋本体（１）の上部に取手（４）を設けたことを特徴とするリバーシブル折りたたみ傘入れ。
【発明の詳細な説明】
【技術分野】
【０００１】  本発明は濡れた折りたたみ傘の出し入れをスムーズに収納し、２本のひもを通して伸縮自在にし、濡れた中のビニール袋を簡単に取り出して乾燥させ、なおかつ両面使えるようにしたシンプルなデザインで作ったリバーシブル折りたたみ傘入れに関するものである。
【背景技術】
【０００２】  従来、ショッピング、映画、コンサート、旅行、電車やバスなど濡れた傘を持ち歩くのは、不快で邪魔だった。
【発明が解決しようとする課題】
【０００３】  濡れた傘は、屋内・外に出入りする時、電車、バスに乗った時、雨水が床にたれたり、洋服についたり、トイレに入った時など、フックに掛けた傘がバッグ、ドアを濡らしていた。
本発明は以上の問題点を解決しようとするものである。
【課題を解決するための手段】
【０００４】  袋本体（１）は表袋（１ａ）と、裏袋（１ｂ）で構成し、袋本体（１）の上部にひもの通り道（２）を設け、通り道（２）に２本のひも（３）と飾り玉（５）を設け、袋本体（１）の上部に取手（４）を設ける。
以上のように構成されたリバーシブル折りたたみ傘入れである。
【発明の効果】
【０００５】  リバーシブルにした最大のメリットは濡れた中のビニール袋を簡単に手で引っ張りだし洗濯バサミなどで干せることである。
また、取手やひもをフックに掛けても干せる。
さらにリバーシブルにしたことで雨水の浸透も防ぐことができる。
ひもを取り付けたメリットは、袋を簡単に開閉し、大きく開いた入り口は、雨傘を無造  作にしまえ、なおかつひもを閉じれば雨水の漏れも防ぐことができる。
基本的に邪魔な傘はカバンやバッグに収納するのが目的だが、バッグがなかったり、小さくて入らない場合は、手に持ったり、買い物袋などと一緒に腕に掛けられるように２本の取手を付けた。
取手の必要のない人は取手なしで作ればいい。
さらに２つの異なる色や柄のビニールで作るので、男女兼用型、二色を使い分ける女性専用、男性専用、また子供には可愛いいキャラクターで作るなど、色々な色、柄の違った種類のものができることも特徴である。
【発明を実施するための最良の形態】
【０００６】  以下、本発明の実施の形態について説明する。
袋本体（１）は表袋（１ａ）と、裏袋（１ｂ）で構成する。
袋本体（１）の素材はビニル樹脂を使う。
袋本体（１）の上部にひもの通り道（２）を設ける。
通り道（２）に２本のひも（３）と飾り玉（５）を設ける。
袋本体（１）の上部に取手（４）を設ける。
本発明は、以上の構成より成っている。
本発明を使用するときは、傘をカバンに入れ、棚やフックに掛けて収納し、雨の日は袋だけ、カバンに入れて外出する。
また、雨が降りそうな時は、傘を袋に入れ、そのままカバンにしまえばいい。
【図面の簡単な説明】
【０００７】
【図１】  本発明の傘入れに傘を入れた時の状態を示した説明図である。
【図２】  本発明の傘入れに傘をしまう時の状態を示した説明図である。
【図３】  本発明の傘入れに傘の中のビニール袋を引っぱり出して、干す時の状態を示した説明図である。
【符号の説明】
【０００８】    １    袋本体
１ａ  表袋
１ｂ  裏袋
２    ひもの通り道
３    ひも
４    取手
５    飾り玉
【図１】
2009297485.tif 000003
【図２】
2009297485.tif 000004
【図３】
2009297485.tif 000005
(57)【要約】【課題】クリーニング業において、特に布団類の洗いで洗剤水溶液の使用量の大きな低減はできないか。またドライ溶剤処理洗いを肌触りの良い水洗いにできないかという疑問を解決すること。【解決手段】高圧洗浄洗いにより洗剤水溶液の使用量を大きく低減できる。又この洗い方は繊維を膨潤させるが、モミ洗い工程がないので縮みが出にくい、したがって色落ちするものを除いて、ほとんどの被洗濯物の洗いが可能だ。それに良質の洗剤、仕上剤を使用することにより、肌触りの良い仕上がりになる。すすぎ工程は、本特許に含まれておりませんが、モミ濯ぎにならないように十分な注意が必要です。【特許請求の範囲】
【請求項１】
作業台に乗せた被洗濯物の布団、衣類、縫いぐるみなどに洗濯洗剤を溶かした水、つまり洗剤水溶液を高圧洗浄機で被洗濯物に直接、その被洗濯物の繊維の強さデリケートさに合わせた圧力、つまり繊維を痛めない高めの圧力を調整し噴射する。高圧の洗浄力とその圧力により生じる振動による洗浄力で、被洗濯物の繊維の汚れを強制的に繊維から引き離す洗い方の方法及び考え方。
【発明の詳細な説明】
【発明の詳細な説明】
【技術分野】
【０００１】本発明は、被洗濯物を作業台の上に乗せそのまま動かさずに、洗剤水溶液を高圧力で被洗濯物に直接噴射する洗い方です。その高圧の洗浄力とそれにより生じる振動による洗浄力とで、繊維の汚れを強制的に繊維から引き離す洗い方です。【０００２】本発明でシングル敷布団１枚を洗うと約１０ｌの洗剤水溶液で洗えますが、水洗機で洗うと１００ｌ〜２００ｌの洗剤水溶液が必要です、それに毎回新しい洗剤水溶液で洗えます。洗剤と水の使用量が少ない分処理費用が低減される、それにより人と繊維と環境に優しい良質の洗剤の使用が可能になります。すすぎ工程は、本発明も今までの水洗機洗いもセンターシャワー脱水方式で同じです。【０００３】本発明では、被洗濯物の繊維を膨潤させますが。モミ洗い工程が無いので縮みがほとんど出ません。従いまして今までドライ溶剤処理の羊毛、絹など多数の衣類も良質の洗剤、仕上剤を使用することにより、肌触りの良い水洗いが可能になる。すすぎ工程はモミ濯ぎにならないように十分な注意が必要です。
【背景技術】
【０００４】洗剤水溶液の水流により繊維と繊維を刷り合わせ汚れを落とす水洗機洗い、この洗い方だと天然繊維、特に動物繊維にモミ洗いによる縮みが生じる。そのためドライ溶剤処理されることが多い。人と環境に負担の多いドライ溶剤の使用量を低減するためにクリーニング業界全体で、この縮みの少ない本発明を活用してほしい。色止めの悪いものを除いてほとんどの繊維が洗える。
【発明の開示】
【発明が解決しようとする課題】
【０００５】本発明により、クリーニング業での洗剤、水の使用量を低減し、なおかつ縮みの少ない特性を生かし、今までドライ溶剤処理していた衣類を、肌触りの良い水洗い処理が可能となる。ドライ溶剤の使用量の低減に寄与し、人と環境問題に寄与するものです。
【課題を解決するための手段】
【０００６】本発明は、布団、衣類、縫いぐるみなど被洗濯物を作業台の上に乗せ。洗剤水溶液を高圧力で直接その被洗濯物の繊維の強さ、デリケートさに圧力を調整し噴射する。繊維に付いた汚れを高圧の洗浄力とそれにより生じる振動による洗浄力で繊維から強制的に引き離す洗い方です。【０００７】本発明は、高圧洗浄機のノズルをフリーハンドにしたことにより、又作業台の使用により被洗濯物の一定の場所、汚れの強いところに特別な操作なしで、簡単に繰り返し繰り返し何度でも洗える。シミ抜き、ひどい汚れ落としなど、職人の経験と感覚が反映しやすい作業環境になった。シミ、汚れの落ち具合が直接売上を左右する。ロスの少ない効率的な洗いができる。又構造が単純なため故障もなく価格も安価に提供できる。
【発明の効果】
【０００８】本発明により、洗剤水溶液の使用量が特に布団類で大幅に低減できる。【０００９】洗剤水溶液の大幅低減にかかわらず。たとえば猫のシッコも、二度洗いをすれば、ほとんど臭わなくなる。二度目は最初の約二分の一の洗剤水溶液の使用量で済む。【００１０】水洗いしても縮みが少ない本発明の特性を生かし、今までドライ溶剤処理していた衣類の多くのものが、肌触りの良い水洗いが可能となる。【００１１】クリーニング業界において、本発明を吟味し活用されると。ドライ溶剤の使用量の低減を生み、人と環境問題に大きく貢献できる。
【発明を実施するための最良の形態】
【００１２】作業台は、被洗濯物の大きさより大きめ、その作業台の左右と後面に飛散防止のために立板などの措置を施す、作業台最前面端に高さ２ｃｍ程の落水防止の堤防を設ける、作業台の後面を少し高くする（５ｃｍぐらい）なおかつ作業台前面の左右どちらか一方を後面の１／２（２、５ｃｍ）ほど高くする。洗剤水溶液の排水は前面の低いところに集まる。あとは排水を流す工夫をする。最後に洗剤水溶液のかかる面に防水処理を施す。
簡単に説明すると、台所の流し台です。作業台に飛散防止の壁を立てる、使用済みの洗浄液を一か所に集めて排水する排水口を設ける。このような装置【００１３】高圧洗浄機の能力は、まず洗剤水溶液の入った容器より自吸で取水できること。次にハンドガンのノズル圧力の最高圧は７０ｋｇ／ｃｍ２、ノズル水量は８ｌ／ｍｉｎこのくらいの能力が衣類を傷めず汚れを繊維から引き離すのに最適です、圧力と水量がこれ以上高いと思わぬことで生地を痛める危険性がある。最後にノズルの噴射角は０°〜１２０°自由選定できるもの、通常は３０°〜４５°付近で使用する。被洗濯物への洗剤水溶液の圧力はノズルとの距離及び噴射角の大きさで決まる。高圧洗浄機のポンプは、洗剤水溶液を使うため対摩耗性の優れたもの、例えばセラミック性等をを使用すること。又ポンプは使用頻度にもよるが、経年による摩耗劣化がある、高圧力が保持できなくなる、最長でも５年度を限度に新品と交換すること。最後に、洗剤水溶液で使用する水の硬度をできるだけ０に近づけた軟水を用いると、洗剤の投入量を従来の半分以下に出来る、又汚れ落ちもよくなる、それに石けんカスの発生が大きく抑制されるので、石けんカスによるポンプの傷みを軽くする事が出来、ポンプの寿命が延びる。
【産業上の利用可能性】
【００１４】本発明に係わる作業台は、構造が簡単なので工業的に量産することが可能です。又作業台のバリエーションは、いろいろ考えられます。衣類に関しては壁掛け型作業台、ドラム缶形状の内部を負圧にして外周に衣類を吸い付けさせる作業台など。高圧洗浄機は、市販されているセラミック性のポンプで十分に使用可能な製品もある。
(57)【要約】【課題】  花瓶を使用する場合、花瓶は花を生ける機能と同時にその花をより効果的に生けるため多種多様な花瓶の中から選択することが望ましいが、その条件を満たすためには花瓶の収納スペースの必要と経済的な負担が大きくなるが、それらの負担を少なくする事である。【解決手段】  １個の花瓶を用意し、その花瓶の周りを意匠化した平面の覆いで巻付けるように覆うことで、別の意匠の花瓶とする。１個の花瓶と多種多様な覆いを使用者に提供する。【選択図】なし【特許請求の範囲】
【請求項１】
１個の花瓶を用意し、その花瓶の周りを意匠化した平らな覆いを巻付けるように覆うことで、別の意匠の花瓶とし、基本的に１個の花瓶に対し多種多様な覆いを使用者に提供する。
【請求項２】
上記の意匠化するための覆いの材料及び作り方のテキストを提供する。
【発明の詳細な説明】
【技術分野】
【０００１】  本発明は、１つの花瓶の意匠を多様に変えることである。
【背景技術】
【０００２】  花瓶を使用する場合、花をより効果的に生けるため花瓶を選択するが、選択する花瓶が多種多様であることが望ましい。
【発明の開示】
【発明が解決しようとする課題】
【０００３】  花瓶を使用する場合、花瓶は花を生ける機能と同時にその花をより効果的に生けるため多種多様な花瓶の中から選択することが望ましいが、その条件を満たすためには花瓶の収納スペースの必要と経済的な負担が大きくなるが、それらの負担を少なくする事である。
【課題を解決するための手段】
【０００４】  １個の花瓶を用意し、その花瓶の周りを意匠化した平らな覆いで巻付けるように覆うことで、別の意匠の花瓶とし、１個の花瓶と多種多様な覆いを使用者に提供する。【０００５】  覆いは平らなものとし、凹凸を施したもの、折り目を施したもの、あるいは異なる色や形を重ねて１つとしたもの等とする。【０００６】  覆いは花瓶の周囲に花瓶と密着させるか、あるいは花瓶と覆いの間に空間を持たせ密着させない場合もある。
【発明の効果】
【０００７】  花瓶の覆いは、多種多様であると同時に覆い方も自由であるためより一層多種多様の花瓶の意匠を提供できる。
【発明を実施するための最良の形態】
【０００８】  花瓶は筒状、鉄製、底部の重心が大きく、錆止めを施したものが望ましい。【０００９】  花瓶の覆いは、花瓶に巻き付けた端を粘着テープ等で止める方法等があるが、花瓶が鉄製の場合は、磁石の使用で簡単に止めることが出来る。【００１０】  花瓶の覆いは、種類の多いことが前提となるが、平面化し重ねて箱に収納し、その箱を花瓶台として利用する。【００１１】  花瓶の覆いの材料は、既存の模様等のある紙や布等も利用できるので、芯材や型紙あるいは作り方のテキストの提供により使用者はより多種多様な花瓶の覆いを使用できる。
(57)【要約】      （修正有）【課題】飲料用紙パックをリサイクルするための紙パック切断用具を提供する。【解決手段】刃物の先端を紙パックの開口部へ差し込み、本体装置を片手で握りながら箱の角に軽く押し当てながら手前へ引くように滑らせて切断するものである。また、刃物は、釣り針のようにゆるやかに曲がっていて、その内側で箱の辺を切っていく。また刃物の先端には球体が固定されているので、手前へ本体を引く時に刃物が箱の内部から外側へ飛び出そうとする力を球体が箱の内部の辺や面で抑えることができる。また、力を入れすぎて箱から刃物が飛び出してきても、球体が怪我の防止の役目も担う。刃物付近の本体は、角を削り落してあるため、最初の一辺を切り終わったところで、刃物を抜くことなく、次の辺に方向転換しやすいように工夫されている。【選択図】図１
2009297477.tif 000002
【特許請求の範囲】
【請求項１】
本装置に固定されている刃物の先端には、球体が取り付けて固定されている。
【請求項２】
本装置に固定されている刃物には穴が２か所開いており、ビス留め加工してある
【請求項３】
刃物が固定されている本体は透明で、切断中も刃物の位置が確認できること
【請求項４】
本体は二つに分かれ、刃物はその本体に挟まれた形で固定されている
【請求項５】
本体で刃物を挟む際、刃物の厚みの分隙間が開かないように、本体側は刃物の形状に刃物の厚みの分だけ彫りこまれている
【請求項６】
本体下部の台形の部分だけは、進行方向とは逆の面の上方の頂点から４５度に切断された形となる。これは刃物で対象物を切断しながら、刃物を抜き取らなくても対象物の頂点にて切断方向を変えるためにある
【請求項７】
刃物の先端部分が本体より突き出す位置は、進行方向とは逆の面より２センチメートル以内とする
【請求項８】
本装置は、対象となる箱の開口部の角より内部へ差し込み手前へ引きながら箱の角を切断するのが目的である
【発明の詳細な説明】
【技術分野】
【０００１】本発明は、飲料用の紙パックなど四角い箱の、リサイクルの為の指定された切り方を簡単に可能とする物
【背景技術】
【０００２】資源として紙パックやダンボールを処分回収するには、角で切断されたほうが回収保管には優れている。現在多くの主婦が台所で飲み終わった紙パックを洗って乾かしてから、はさみやカッターナイフなどで切断されています。また、箱など対象物の角が変形していると切断方向が大きく変わる。【０００３】
【特許文献１】  特公開２００１−６２７７４
【発明の開示】
紙パック箱切断用具
【発明が解決しようとする課題】
【０００４】従来のはさみで切ると、手にかかる負担が大きく面倒であり、通常のカッターナイフだと切るときの腕の角度や力加減によって方向が大きく変化してしまい危険である。
切断する対象物の角が潰れて変形していると、切断方向が大きく変わる。
紙パックなどを簡単に切断する手段が普及していない。
【課題を解決するための手段】
【０００５】本装置に固定されている刃物の先端部分を対象となる紙パックの開口部から中へ差し込んで手前に引く要領で滑らせながら切断する用具ですが、切断方向が大きく変わらないように、釣り針のように曲がった刃物の先端部分に球体が固定されており、対象の箱の内部の辺と面に当たり本装置を滑らせて切断する時の内部から曲がろうと作用する力を修正するものである。
本装置の本体下部の形状は二等辺三角形の内角度９０度の部分が本体中心になっており、その内角度９０度の部分に対象となる箱の辺に当ててすべらす為外側からの切断方向のぶれを修正
刃物が固定されている本体は透明な素材であるため、常に刃物の位置を確認できる
対象となる箱の開口部から一度刃物の先端を挿入して一辺を切断後、刃物が箱の頂点内部に入っている状態で方向転換しやすいように、本装置下部の台形部分の片方の側は、二等辺三角形の空間の９０度の頂点より４５度切断されている。
【発明の効果】
【０００６】飲料用紙パックやティシュボックスなど、すばやく簡単に切断することが可能。
本体が透明な素材で本体下部の形状が同じであれば、色付きで卵型などにすると、台所のインテリア的な小物にもなり、この道具の普及により一般家庭でのリサイクルがより増えることが可能であるといえる。
【発明を実施するための最良の形態】
【０００７】対象となる箱に本装置を外側から押し当てた場合の箱の変形や歪みを補正するため、突き出た刃物を中心とし左右に、各４５度開いた部分に押さえものとなる面が必要である。また、お年寄りなどでも使用できるように、本体は片手で握れる大きさが理想である。刃物の先端が突き出でいるのは、台形下部の正面側より２センチメートル以内とする。刃物を除いた本装置の本体の素材が透明であれば、切断中の刃物の位置を確認することができる。
【実施例】
【０００８】紙パックの開口部の内側に刃物の刃を引っ掛けるようにして差し込み、手前に引くような感じですべらせるだけなので、簡単に切断が終了してしまう
【産業上の利用可能性】
【０００９】数センチメートル大きな本体で加工すると大型の梱包箱も切断可能。
【図面の簡単な説明】
【００１０】本装置は左右対称にできた二つの変形している台形を組み合わせて一つになるのですが、片側の形は、それぞれのｄ面を底辺とする二等辺三角錐のどちらか片方の隅を削りおとすのですが、ここでは、ｆを頂点とし、ｆから頂点ｋに伸びた辺と、ｆから頂点ｊに伸びた辺の内角度４５度で辺ｅまでの部分を垂直に切断した形が図▲１▼である。また、それぞれの角度はｂ４５度、ｃ９０度となる。次に三角錐の辺ｅが床面になるようにして、それぞれのａ面同士を向かい合わせて接合して組み立てられた状態が本体で図▲２▼である。刃物はａ面同士を向かい合わせて接合された形で組み立てられたその間に挟まれる状態で固定される。このときに、刃物の厚み分隙間が開かないように、各ａ面に刃物の形状で、厚み分の半分とビス頭の分が彫りこまれている中に、刃物が沈み込む形で固定される▲３▼。
【図１】▲１▼を示した立体図である
【図２】▲２▼を示した立体図である
【図３】▲３▼を示した平面図である
【図４】▲３▼を示した断面図である
【図５】本発明の使用状態を示す立体図である
【符号の説明】
【００１１】ａ    本体
ｂ    内角度４５度
ｃ    内角度９０度
ｄ    ｄ面を底辺とする三角錐
ｅ    辺
ｆ    頂点
ｇ
ｈ    辺
ｉ    辺
ｊ    頂点
ｋ    頂点
ｌ    箱
ｍ    刃物
ｎ    球体
ｏ    ビス
【図１】
2009297477.tif 000003
【図２】
2009297477.tif 000004
【図３】
2009297477.tif 000005
【図４】
2009297477.tif 000006
【図５】
2009297477.tif 000007
(57)【要約】【課題】  この発明は、永久磁石を有する原付玩具自動車を走行させる立体車道において、この立体車道の一部を利用し、３以上の複数箇所を平面的に床に接するようにし、倒れないようにする脚形立体走行車道に関するものである。【解決手段】  立体車道９はプラスチック材でなる帯状の板状で、中央部一表面に磁性体でなる金属レール１を設け、全体を平面的に円形状に形成できるようにし、この円形状の周囲の３箇所または４以上の複数箇所に、Ｕ字状の脚形車道３を設け、この各脚形車道３は垂直車道７、捩れ車道４、螺旋車道５、下降車道６、平面車道２およびその他形状車道８のうち、一個または複数個を連結してループ状に形成して、構成するようにしたものである。【選択図】図１
2009297473.tif 000002
【特許請求の範囲】
【請求項１】
永久磁石を有する原付玩具自動車を、走行させるための立体的な脚形立体走行車道において、立体車道は、プラスチック材でなる帯状の板状で、中央部一表面に磁性体でなる金属レールを設け、平面的に円形状に形成できるようにし、この円形状の周囲の３箇所または４以上の複数箇所にＵ字状の脚形車道を設け、この各脚形車道は垂直車道、捩れ車道、螺旋車道、下降車道、平面車道およびその他形状車道のうち、一個または複数個を連結してループ状に形成して構成することを特徴とする脚形立体走行車道。
【発明の詳細な説明】
【技術分野】
【０００１】  この発明は、永久磁石を有する原付玩具自動車（以下同じ）を走行させる立体車道において、この立体車道の一部を利用し複数箇所、平面的に床に接するようにして、倒れないようにする脚形立体走行車道に関するものである。
【背景技術】
【０００２】  従来の、原付玩具自動車を走行させる立体車道は、構造複雑な形状のものを多く組み合わせて倒れないようにしたもの、床に接する部分の車道に台棒等を組み合わせて、安定台を形成して倒れないようにしたもの等の種々があった。
【発明が解決しようとする課題】
【０００３】  上記のように、構造複雑な形状のものを多く組み合わせる立体車道は、組み立てが複雑となり幼児の使用に不向きとなったり、製造時のコストが嵩み実用化が困難であったり、台棒等と組み合わせて安定台を形成するものは軽いので、原付玩具自動車の走行時に多少不安定な面もあった。
【課題を解決するための手段】
【０００４】    本発明は、上述の欠点を解決することを目的とするもので、立体車道はプラスチック材でなる帯状の板状で、中央部一表面に磁性体でなる金属レールを設け、全体を平面的に円形状に形成できるようにし、この円形状の周囲の３箇所または４以上の複数箇所に、Ｕ字状の脚形車道を設け、この各脚形車道は垂直車道、捩れ車道、螺旋車道、下降車道、平面車道およびその他形状車道のうち、一個または複数個を連結してループ状に構成するようにしたものである。
【発明の効果】
【０００５】  この発明の脚形立体走行車道は、立体車道の全体を平面的に円形状となるように形成して、その周囲の３箇所以上の複数箇所に、床に接する脚形車道を設け、この各脚形車道は平面車道等で連結して倒れないようにしたので、原付玩具自動車の走行による震動でも安定しているし、前記立体車道の一部を利用して安定台を形成するようにしたので、構造は簡単で製造時のコストが嵩むことはなく、多くの支点方式としても複雑な構成とはならず、余分な資材も必要としない。
【０００６】  また、前記立体車道の金属レールは車道の一表面に露出して、両面テープで貼り付ける程度として、製造時のコストを更に低減させることを計った。
【０００７】  それに、前記脚形立体走行車道では原付玩具自動車は、金属レールに沿って自力で姿勢を修正しながら脱輪や脱落することなく、垂直走行、宙返り走行、急降下走行その他あらゆる姿勢での走行ができ、スリルまで味わうことができる。また、どの車道上でも畳の上を走行すると同じ速度で走行を続けることができる。
【０００８】  さらに、前記立体車道の脚形車道の部分では脚を兼ねながら、急下降走行や急上昇走行を楽しむことができ、スリルまで味わうことができる。
【０００９】  この実施形態について図面とともに説明する。
図１は、この発明の実施の形態を示す組立斜視図である。
【００１０】  永久磁石を有する原付玩具自動車（図示せず）を走行させる脚形立体走行車道において、立体車道９は、プラスチック材でなる帯状の板状で、中央部一表面に磁性体でなる金属レール１を設け、全体を平面的に円形状に形成できるようにし、この円形状の周囲の三角形の頂点付近に３箇所、あるいは四角形の頂点付近に４箇所またはこれ以上の複数箇所に、Ｕ字状の脚形車道３を設け、この各脚形車道３は垂直車道７、捩れ車道４、螺旋車道５、下降車道６、平面車道２およびその他形状車道８のうち、一個または複数個を連結してループ状にすると共に、倒れないよう安定台を形成するよう構成する。
【００１１】  ただし、脚形車道３は金属レール１の部分をバイパス形式とし、Ｕ字状部は脚だけとすることもできる。
【００１２】  次に、この脚形立体走行車道の使用方法について説明する。
平面車道２の上に電源を投入した原付玩具自動車を乗せると、この原付玩具自動車は各車道の金属レール１と常に吸引しながら、金属レール１に沿って脱輪や脱落することもなく、脚形車道３では急降下、急上昇し、垂直車道７では再度急上昇し、螺旋車道５では宙返り走行等をし、あらゆる姿勢での走行を続けながら元の位置に帰ってくる。
【図面の簡単な説明】
【００１３】
【図１】は、この発明の実施の形態を示す、脚形立体走行車道の組立斜視図である。
【符号の説明】
【００１４】    １  金属レール              ２  平面車道              ３  脚形車道
４  捩れ車道                ５  螺旋車道              ６  下降車道
７  垂直車道                ８  その他形状車道        ９  立体車道
【図１】
2009297473.tif 000003
(57)【要約】【課題】  従来の透析抜針漏血感知センサでは、電極２，３と枝電極４，５が導通するまでに時間が掛かり、透析針が抜けた後の抜けを検出するまでの時間が長すぎるという問題があった。【解決手段】  透析針７，８はそれぞれ中間に超音波振動子９，１０を装着され、透析針７，８の一端はそれぞれ透析機１１に接続され、他端は皮膚１２の下の血管１３に挿入され、超音波振動子９，１０はそれぞれ発振器１４及びエコー検出装置１５に接続されている。  【選択図】図１
2009297404.tif 000002
【特許請求の範囲】
【請求項１】
超音波振動子を装着した人工透析機に接続される透析針と、前記超音波振動子に接続される発振器と、該発振器から前記超音波振動子に入力された発振出力によって照射された超音波の血管及び皮膚からの反射エコーを検出するエコー検出装置とからなり、前記反射エコーの無検出により、前記透析針の血管からの抜けを検出することを特徴とする針抜け防止装置。
【発明の詳細な説明】
【技術分野】
【０００１】
本発明は、透析針の血管からの抜けを防止することができる針抜け防止装置に関するものである。
【背景技術】
【０００２】
従来、図３に示すように、透析抜針漏血感知センサは、吸水基材１の表面に電極２、３が平行に装着され、それらの電極２，３の間に多数の枝電極４、５が電極２，３から互いの電極近傍に突出して装着され、電極２，３はセンサ回路に接続されているものが提案されている。
【０００３】
このように構成された透析抜針漏血感知センサは、透析針６の近傍に置かれ、血管に刺されていた透析針６が血管から抜けた場合に、漏れた血液で吸水基材１が濡れ、電極２，３と枝電極４，５の間が導通することによって、その導通をセンサ回路が検出し、センサ回路内に装着されたブザーで報音するものであるが、透析針６が血管から抜けて血液が吸水基材に浸透し、さらに、電極２，３と枝電極４，５が導通するまでに時間が掛かり、透析針が抜けた後の抜けを検出するまでの時間が長すぎるという問題があった。
【特許文献１】特開２００６−５５５８８号
【発明の開示】
【発明が解決しようとする課題】
【０００４】
解決しようとする問題点は、従来の透析抜針漏血感知センサでは、電極２，３と枝電極４，５が導通するまでに時間が掛かり、透析針が抜けた後の抜けを検出するまでの時間が長すぎるという問題があった。
【課題を解決するための手段】
【０００５】
本発明では、超音波振動子を装着した人工透析機に接続される透析針と、前記超音波振動子に接続される発振器と、該発振器から前記超音波振動子に入力された発振出力によって照射された超音波の血管及び皮膚からの反射エコーを検出するエコー検出装置とからなり、前記反射エコーの無検出により、前記透析針の血管からの抜けを検出するものである。
【発明の効果】
【０００６】
本発明の針抜け防止装置では、透析針に装着された超音波振動子に発振器から発振出力を印可し、超音波振動子から照射された超音波は血管の表面及び皮膚の表面で反射するので、この反射波をエコー検出装置で検出され、ここで、血管に刺された透析針が抜けた場合、針抜けと同時に皮膚又は血管の表面からのエコーが超音波振動子に伝達されなくなるので、即座に針抜けが検出されるという利点がある。
【発明を実施するための最良の形態】
【０００７】
本発明では、人工透析機に接続される透析針に超音波振動子を装着し、この超音波振動子に発振器及びエコー検出装置を接続し、超音波振動子から照射された超音波の皮膚及び血管表面からの反射エコーを検出することにより、この反射エコーが検出されない場合に、透析針の血管からの針抜けを検出するものである。
【実施例】
【０００８】
図１は本発明の実施例の針抜け防止装置の構成図で、透析針７，８はそれぞれ中間に超音波振動子９，１０を装着され、透析針７，８の一端はそれぞれ透析機１１に接続され、他端は皮膚１２の下の血管１３に挿入され、超音波振動子９，１０はそれぞれ発振器１４及びエコー検出装置１５に接続されている。
【０００９】
このように構成された本実施例の針抜け防止装置では、まず、超音波振動子９，１０にそれぞれ発振器１４から発振出力が印可されているので、血管１３に挿入された透析針７，８が血管１３から抜けていない状態では、超音波振動子９，１０から照射された超音波は透析針７，８を伝達して、それぞれ皮膚１２及び血管１３で反射され、図２で示すように、まず、超音波の発振線Ａがエコー検出装置１５で検出され、次に皮膚１２からの反射エコーＢはエコー検出装置１５で検出され、さらに、その後で、血管１３からの反射エコーＣがエコー検出装置１５で検出される。
【００１０】
ここで、透析針７，８のいずれか一方が抜けた場合、血管１３からの反射エコーＣが検出されなくなるので、この血管１３の反射エコーＣが振動検出装置１５で検出されなくなると、すぐに振動検出装置１５から異常を知らせるブザー等が報音される。
【産業上の利用可能性】
【００１１】
なお、上記実施例の針抜け防止装置は、輸血や点滴等の針抜けを防止するために使用することができる。
【図面の簡単な説明】
【００１２】
【図１】本発明の実施例の針抜け防止装置の断面図である。
【図２】図１の超音波振動子で検出した血流のエコーの波形図である。
【図３】従来の透析抜針漏血感知センサの平面図である。
【符号の説明】
【００１３】
７、８            透析針
９，１０          超音波振動子
１１              透析機
１２              皮膚
１３              血管
１４              発振器
１５              エコー検出装置
【図１】
2009297404.tif 000003
【図２】
2009297404.tif 000004
【図３】
2009297404.tif 000005